(57)【要約】本発明は、ＰＴサーバに招待予約機能を設定することにより、ＰＴクライアントの指示なしに、前記ＰＴサーバがセッション設定可能な他のＰＴクライアントを招待できる招待予約方式でのＰＴサービス提供方法に関し、ＰＴサービス予約方法は、送信側ＰＴサーバに招待予約機能を設定する段階と、前記送信側ＰＴサーバが前記招待予約機能の動作条件を満足する場合、セッション参加対象であるＰＴクライアントに関する状態情報を要求して受信する段階と、前記ＰＴクライアントがセッション招待可能な状態にある場合、前記送信側ＰＴサーバが前記ＰＴクライアントに招待信号を伝送する段階とを含む。
2008516519.tif 000002
【特許請求の範囲】
【請求項１】
ＰＴサーバに招待予約機能を設定する段階と、
前記招待予約機能の動作条件を満たすと、前記ＰＴサーバが予約対象である１つ以上のＰＴクライアントを招待する段階と
を含むことを特徴とするＰＴサービス予約方法。
【請求項２】
前記招待予約機能は、招待対象に関する情報及び予約機能動作時間に関する情報を含むことを特徴とする請求項１に記載のＰＴサービス予約方法。
【請求項３】
前記招待予約機能は、予約機能終了時間に関する情報をさらに含むことを特徴とする請求項２に記載のＰＴサービス予約方法。
【請求項４】
前記設定段階で、前記ＰＴサーバのサービングＰＴクライアントが前記招待予約機能を設定することを特徴とする請求項１に記載のＰＴサービス予約方法。
【請求項５】
前記設定段階で、前記ＰＴサーバと連動する外部装置が前記招待予約機能を設定することを特徴とする請求項１に記載のＰＴサービス予約方法。
【請求項６】
前記招待段階は、
前記ＰＴサーバがセッションに参加する対象であるＰＴクライアントの状態情報を確認する段階と、
前記ＰＴクライアントの状態情報が前記セッション設定条件を満たすと、セッション設定のためのＩＮＶＩＴＥ信号を前記ＰＴクライアントに伝送する段階とを含むことを特徴とする請求項１に記載のＰＴサービス予約方法。
【請求項７】
前記ＰＴクライアントの一部が前記セッション設定条件を満たすと、前記条件を満たすＰＴクライアントにのみ前記ＩＮＶＩＴＥ信号を伝送する段階をさらに含むことを特徴とする請求項６に記載のＰＴサービス予約方法。
【請求項８】
前記セッション設定条件を満たしていないＰＴクライアントが、設定されたセッションが解除される前に前記セッション設定条件を満たす状態に移行すると、前記ＰＴクライアントが前記セッションに参加する段階をさらに含むことを特徴とする請求項７に記載のＰＴサービス予約方法。
【請求項９】
前記ＩＮＶＩＴＥ信号を伝送する段階で、招待するＰＴクライアントを管理するＰＴサーバが前記ＩＮＶＩＴＥ信号を伝送することを特徴とする請求項６に記載のＰＴサービス予約方法。
【請求項１０】
前記ＩＮＶＩＴＥ信号を伝送する段階で、招待されるＰＴクライアントを管理するＰＴサーバが前記ＩＮＶＩＴＥ信号を伝送することを特徴とする請求項６に記載のＰＴサービス予約方法。
【請求項１１】
前記状態情報は、ＰＴサーバ又はプレゼンスサーバに保存され、前記セッション設定条件は、前記ＰＴサーバに保存されることを特徴とする請求項６に記載のＰＴサービス予約方法。
【請求項１２】
送信側ＰＴサーバに招待予約機能を設定する段階と、
前記招待予約機能の動作条件を満たすと、前記送信側ＰＴサーバがセッション参加対象であるＰＴクライアントの状態情報を要求して受信する段階と、
前記ＰＴクライアントがセッション設定可能な状態である場合、前記送信側ＰＴサーバが前記ＰＴクライアントにＩＮＶＩＴＥ信号を伝送する段階と
を含むことを特徴とするＰＴサービス予約方法。
【請求項１３】
前記招待予約機能は、招待対象に関する情報及び予約機能動作時間に関する情報を含むことを特徴とする請求項１２に記載のＰＴサービス予約方法。
【請求項１４】
前記招待予約機能は、予約機能終了時間に関する情報をさらに含むことを特徴とする請求項１３に記載のＰＴサービス予約方法。
【請求項１５】
前記ＩＮＶＩＴＥ信号を伝送する段階で、前記送信側ＰＴクライアントと１つ以上の受信側ＰＴクライアントがセッション設定可能である場合、前記ＩＮＶＩＴＥ信号を前記ＰＴクライアントに伝送することを特徴とする請求項１２に記載のＰＴサービス予約方法。
【請求項１６】
受信側ＰＴクライアントのうち１つのＰＴクライアントがセッション設定不可状態からセッション設定可能状態に移行すると、前記ＰＴクライアントが前記設定されたセッションに参加する段階をさらに含むことを特徴とする請求項１５に記載のＰＴサービス予約方法。
【請求項１７】
送信側ＰＴクライアントのセッション設定のための条件を含む選好情報を送信側ＰＴサーバに設定する段階と、
受信側ＰＴクライアントのセッション設定のための条件を含む選好情報を受信側ＰＴサーバに設定する段階とをさらに含むことを特徴とする請求項１２に記載のＰＴサービス予約方法。
【請求項１８】
前記送信側ＰＴサーバに設定された選好情報は、アクセスリスト、発信セッション制限、セッションオン保持、トリガーパラメータ、及び連動ネットワークに関する情報の少なくとも１つを含むことを特徴とする請求項１７に記載のＰＴサービス予約方法。
【請求項１９】
前記受信側ＰＴサーバに設定された選好情報は、アクセスリスト、着信セッション制限、セッションオン保持、トリガーパラメータ、及び連動ネットワークに関する情報の少なくとも１つを含むことを特徴とする請求項１７に記載のＰＴサービス予約方法。
【請求項２０】
前記送信側ＰＴサーバがセッション参加対象であるＰＴクライアントの選好情報を確認して得られた結果を要求して受信する段階と、
前記確認結果に基づいて、前記送信側ＰＴクライアントと少なくとも１つの受信側ＰＴクライアントがセッション設定可能な場合にのみ、セッション設定可能なＰＴクライアントにＩＮＶＩＴＥ信号を伝送する段階とをさらに含むことを特徴とする請求項１７に記載のＰＴサービス予約方法。
【請求項２１】
前記送信側ＰＴサーバがセッション参加対象であるＰＴクライアントの選好情報を確認して得られた結果を要求して受信する段階と、
前記確認結果に基づいて、セッション設定のための対象である全てのＰＴクライアントがセッション設定可能な場合、前記ＰＴクライアントにＩＮＶＩＴＥ信号を伝送する段階とをさらに含むことを特徴とする請求項１７に記載のＰＴサービス予約方法。
【請求項２２】
受信側ＰＴサーバに招待予約機能を設定する段階と、
前記招待予約機能の動作条件を満たすと、前記受信側ＰＴサーバがセッション参加対象であるＰＴクライアントの状態情報を要求して受信する段階と、
前記状態情報が前記ＰＴクライアントがセッション招待可能な状態にあることを示す場合、前記受信側ＰＴサーバが前記ＰＴクライアントにＩＮＶＩＴＥ信号を伝送してセッションを設定する段階と
を含むことを特徴とするＰＴサービス予約方法。
【請求項２３】
前記招待予約機能は、招待対象に関する情報及び予約機能動作条件に関する情報を含むことを特徴とする請求項２２に記載のＰＴサービス予約方法。
【請求項２４】
前記招待予約機能は、予約機能終了条件に関する情報をさらに含むことを特徴とする請求項２３に記載のＰＴサービス予約方法。
【請求項２５】
前記セッション設定段階で、送信側ＰＴクライアントと少なくとも１つの受信側ＰＴクライアントがセッション設定可能状態にあるとき、前記セッション設定可能なＰＴクライアントにのみＩＮＶＩＴＥ信号を伝送してセッションを設定することを特徴とする請求項２２に記載のＰＴサービス予約方法。
【請求項２６】
前記受信側ＰＴクライアントのうち、セッション設定不可状態からセッション設定可能状態に移行したＰＴクライアントが前記設定されたセッションに参加する段階をさらに含むことを特徴とする請求項２５に記載のＰＴサービス予約方法。
【請求項２７】
送信側ＰＴクライアントのセッション設定のための条件を含む選好情報を送信側ＰＴサーバに設定する段階と、
受信側ＰＴクライアントのセッション設定のための条件を含む選好情報を受信側ＰＴサーバに設定する段階とをさらに含むことを特徴とする請求項２２に記載のＰＴサービス予約方法。
【請求項２８】
前記送信側ＰＴサーバに設定された選好情報は、アクセスリスト、発信セッション制限、セッションオン保持、トリガーパラメータ、及び連動ネットワークに関する情報の少なくとも１つを含むことを特徴とする請求項２７に記載のＰＴサービス予約方法。
【請求項２９】
前記受信側ＰＴサーバに設定された選好情報は、アクセスリスト、着信セッション制限、セッションオン保持、トリガーパラメータ、及び連動ネットワークに関する情報の少なくとも１つを含むことを特徴とする請求項２７に記載のＰＴサービス予約方法。
【請求項３０】
前記受信側ＰＴサーバがセッション参加対象であるＰＴクライアントの選好情報を確認して得られた結果を要求して受信する段階と、
前記確認結果に基づいて、前記送信側ＰＴクライアントと少なくとも１つの受信側ＰＴクライアントがセッション設定可能な場合にのみ、セッション設定可能なＰＴクライアントにＩＮＶＩＴＥ信号を伝送する段階とをさらに含むことを特徴とする請求項２７に記載のＰＴサービス予約方法。
【請求項３１】
前記受信側ＰＴサーバがセッション参加対象であるＰＴクライアントの選好情報を確認して得られた結果を要求して受信する段階と、
前記確認結果に基づいて、セッション設定のための対象である全てのＰＴクライアントがセッション設定可能な場合、前記ＰＴクライアントにＩＮＶＩＴＥ信号を伝送する段階とをさらに含むことを特徴とする請求項２７に記載のＰＴサービス予約方法。
【請求項３２】
ＰＴクライアントの選好情報をＰＴサーバに設定する段階と、
送信側ＰＴクライアントがセッション参加対象であるＰＴクライアントのプレゼンス情報及び選好情報の確認結果を要求して受信する段階と、
前記確認結果に基づいて、前記送信側ＰＴクライアントがセッションを設定するためにＩＮＶＩＴＥ信号を伝送する段階と
を含むことを特徴とするＰＴサービス予約方法。
【請求項３３】
前記送信側ＰＴクライアントが送信側ＰＴクライアント自身の出力部から前記プレゼンス情報又は選好情報を通知する段階をさらに含むことを特徴とする請求項３２に記載のＰＴサービス予約方法。
【請求項３４】
前記送信側ＰＴクライアントがセッションに参加するか否かを確認するための信号を出力する段階をさらに含むことを特徴とする請求項３２に記載のＰＴサービス予約方法。
【請求項３５】
前記送信側ＰＴクライアントがセッション設定拒否のための応答信号を受信した場合、前記プレゼンス情報及び選好情報の確認結果に関係なく前記ＩＮＶＩＴＥ信号を伝送しない段階をさらに含むことを特徴とする請求項３４に記載のＰＴサービス予約方法。
【請求項３６】
前記選好情報のうち前記送信側ＰＴサーバに設定された選好情報は、アクセスリスト、発信セッション制限、セッションオン保持、トリガーパラメータ、及び連動ネットワークに関する情報の少なくとも１つを含むことを特徴とする請求項３２に記載のＰＴサービス予約方法。
【請求項３７】
前記選好情報のうち前記受信側ＰＴサーバに設定された選好情報は、アクセスリスト、着信セッション制限、セッションオン保持、トリガーパラメータ、及び連動ネットワークに関する情報の少なくとも１つを含むことを特徴とする請求項３２に記載のＰＴサービス予約方法。
【請求項３８】
前記セッション設定段階で、前記確認結果が前記送信側ＰＴクライアントと１つ以上の受信側ＰＴクライアントがセッション設定可能な状態にあることを示す場合、前記セッション設定可能状態のＰＴクライアントに前記ＩＮＶＩＴＥ信号を伝送してセッションを設定することを特徴とする請求項３２に記載のＰＴサービス予約方法。
【請求項３９】
前記受信側ＰＴクライアントのうち、セッション設定不可状態からセッション設定可能状態に移行したＰＴクライアントが前記設定されたセッションに参加する段階をさらに含むことを特徴とする請求項３８に記載のＰＴサービス予約方法。
【請求項４０】
複数の移動局と複数のサーバに信号を送受信する送受信器と、
ＰＴサービスに関する指示を保存するメモリと、
前記送受信器及びメモリと連動するプロセッサとを含み、
前記プロセッサは、
第１ネットワークの第１移動局から第２ネットワークの第２移動局をセッションにいつ招待するかに関する条件を含むＰＵＢＬＩＳＨ信号を受信する段階と、
前記第２移動局がセッションに招待されるまで前記条件をモニターする段階と、
前記モニターに対する応答として前記第１ネットワークのプレゼンスサーバ及び前記第２ネットワークのプレゼンスサーバにＳＵＢＳＣＲＩＢＥ信号を伝送する段階と、
前記伝送に対する応答として前記第２移動局又は第１移動局の選好情報を確認した他のサーバからＮＯＴＩＦＹ信号を受信して前記第１移動局又は第２移動局の選好情報を確認する段階と、
前記確認に対する応答として互いにＰＴサービスできるように前記第２移動局を前記第１移動局と設定されているセッションに招待する段階と
を含むことを特徴とする無線通信でＰＴサービスをサポートするサーバのための装置。
【請求項４１】
前記ＮＯＴＩＦＹ信号が前記第２移動局がオフライン状態にあることを示す場合、前記ＰＴサービスを可能にする次の動作を行わないことを特徴とする請求項４０に記載の無線通信でＰＴサービスをサポートするサーバのための装置。
【請求項４２】
前記第１移動局及び第２移動局の少なくとも１つの選好情報がセッション設定を禁止する場合、前記招待段階は行われないことを特徴とする請求項４０に記載の無線通信でＰＴサービスをサポートするサーバのための装置。
【請求項４３】
前記サーバは、前記１ネットワークの一部であり、前記他のサーバは、前記第２ネットワークの一部であることを特徴とする請求項４０に記載の無線通信でＰＴサービスをサポートするサーバのための装置。
【請求項４４】
前記サーバは、前記第２ネットワークの一部であり、前記他のサーバは、前記第１ネットワークの一部であることを特徴とする請求項４０に記載の無線通信でＰＴサービスをサポートするサーバのための装置。
【請求項４５】
サーバと信号を送受信する送受信器と、
ＰＴサービスに関する指示を保存するメモリと、
前記送受信器と連動するプロセッサとから構成され、
前記プロセッサは、
他のネットワークの他の移動局がセッションに招待される時点に関する条件を含む招待を設定するための指示を含むＰＵＢＬＩＳＨ信号を前記サーバに伝送する段階と、
前記条件を満たす場合、前記サーバを介して設定されたセッションに招待された前記他の移動局とＰＴサービスを行う段階とを行うことを特徴とする無線通信でＰＴサービスをサポートする移動局。
【請求項４６】
サーバと信号を送受信する送受信器と、
ＰＴサービスに関する指示を保存するメモリと、
前記送受信器と連動するプロセッサとから構成され、
前記プロセッサは、
セッションに招待されることに関する条件を含む招待を設定するための指示を含むＰＵＢＬＩＳＨ信号を他のネットワークの他の移動局が前記サーバに伝送した後、前記他の移動局から前記セッションへの招待を受信する段階と、
前記条件を満たす場合、前記サーバを介して設定されたセッションに招待された前記他の移動局とＰＴサービスを行う段階とを行うことを特徴とする無線通信でＰＴサービスをサポートする移動局。
【発明の詳細な説明】
【技術分野】
【０００１】
本発明は、ＰＴ（Ｐｕｓｈ  Ｔａｌｋ）サービスに関し、より詳しくは、予約メカニズムを採択したＰＴサービスに関する。
【背景技術】
【０００２】
一般に、ＰＴサービスとは、サービス提供者と移動通信ユーザに高速通信を提供するためのＳＩＰ（Ｓｅｓｓｉｏｎ  Ｉｎｉｔｉａｔｉｏｎ  Ｐｒｏｔｏｃｏｌ）ベースのサービスであり、１つのクライアントがクライアント自身とセッションが設定された１つ以上の他のクライアントにメディアデータ（Ｔａｌｋ  ｂｕｒｓｔ）を伝送する通信サービスである。前記ＰＴサービスは、音声（ａｕｄｉｏ）データ伝送のためのＰＴＴ（ｐｕｓｈ  ｔｏ  ｔａｌｋ）サービス、動画像（ｖｉｄｅｏ）データ伝送のためのＰＴＶ（ｐｕｓｈ  ｔｏ  ｖｉｅｗ）サービス、又はデータの伝送のためのＰＴＤ（ｐｕｓｈ  ｔｏ  ｄａｔａ）サービスの１つである。前記ＰＴサービスは、１人の受信者（１−ｔｏ−１：１対１）との通信又はグループ対話セッションのような受信者グループ（１−ｔｏ−ｍａｎｙ：１対多）間の通信を許可し、セッションを設定するためにＳＩＰを使用する。
【０００３】
ＰＴクライアントは、ダイヤリング、電話接続のための待機、及び呼出音提供などの不要な過程を経ずに他のＰＴクライアントと通信が可能なので、一般の移動通信端末機に比べて速い通信サービスをサポートできる。
【０００４】
一般に、ＰＴシステムは、送信側ＰＴクライアントがユーザ（又は、複数のユーザ）に招待メッセージを送信すると、招待を受諾した受信側ＰＴクライアントと前記送信側ＰＴクライアント間にセッションが設定されてＰＴ通信を実行できるＰＴサービスを提供する。
【０００５】
このようなＰＴシステムにおいて、送信側ＰＴクライアントは、前記招待メッセージを受信側ＰＴクライアントに送信するとき、受信側ＰＴクライアントが送信側ＰＴクライアント自身とセッションを設定できるか否かを認知できない。
【０００６】
前記受信側ＰＴクライアントが着信セッション制限機能を設定した場合や送信側ＰＴクライアントの属するネットワークと連動できないネットワークにローミングした場合、前記送信側ＰＴクライアントと受信側ＰＴクライアント間にセッションが設定できない。
【０００７】
このように、受信側ＰＴクライアントが前記送信側ＰＴクライアントの招待に応じない場合、受信側ＰＴクライアントがいつ招待可能な状態になるかを送信側ＰＴクライアントが認知できないため、送信側ＰＴクライアントは、受信側ＰＴクライアントが招待を受諾するまで招待メッセージ送信を繰り返さなければならないという問題がある。また、リソースの浪費及び不要なバッテリパワーの消耗が発生し、ユーザに不便であるという問題がある。
【発明の開示】
【発明が解決しようとする課題】
【０００８】
従って、本発明の目的は、ＰＴサーバに予約機能を設定し、予約条件を満たすと、送信側ＰＴクライアントと受信側ＰＴクライアントがセッション設定可能な状態にあるか否かを確認することにより、受信側ＰＴクライアントを招待できるＰＴシステムのサービス予約方法を提供することにある。
【０００９】
本発明の他の目的は、ＰＴサーバにＰＴクライアントのセッション設定条件を設定し、招待予約条件を満たすと、前記ＰＴクライアントのプレゼンス情報及び選好情報を確認することにより、招待するか否かを判断できるＰＴシステムのサービス予約方法を提供することにある。
【課題を解決するための手段】
【００１０】
このような目的を達成するために、本発明によるＰＴサービス予約方法は、ＰＴサーバに招待予約機能を設定する段階と、前記招待予約機能の動作条件を満たすと、前記ＰＴサーバが予約対象である１つ以上のＰＴクライアントを招待する段階とを含む。
【００１１】
また、本発明によるＰＴサービス予約方法は、送信側ＰＴサーバに招待予約機能を設定する段階と、前記招待予約機能の動作条件を満たすと、前記送信側ＰＴサーバがセッション参加対象であるＰＴクライアントの状態情報を要求して受信する段階と、前記ＰＴクライアントがセッション設定可能な状態である場合、前記送信側ＰＴサーバが前記ＰＴクライアントにＩＮＶＩＴＥ信号を伝送する段階とを含む。
【００１２】
また、本発明によるＰＴサービス予約方法は、受信側ＰＴサーバに招待予約機能を設定する段階と、前記招待予約機能の動作条件を満たすと、前記受信側ＰＴサーバがセッション参加対象であるＰＴクライアントの状態情報を要求して受信する段階と、前記状態情報が前記ＰＴクライアントがセッション招待可能な状態にあることを示す場合、前記受信側ＰＴサーバが前記ＰＴクライアントにＩＮＶＩＴＥ信号を伝送してセッションを設定する段階とを含む。
【００１３】
また、本発明によるＰＴサービス予約方法は、ＰＴクライアントの選好情報をＰＴサーバに設定する段階と、送信側ＰＴクライアントがセッション参加対象であるＰＴクライアントのプレゼンス情報及び選好情報の確認結果を要求して受信する段階と、前記確認結果に基づいて、前記送信側ＰＴクライアントがＩＮＶＩＴＥ信号を伝送する段階とを含む。
【００１４】
本発明のさらなる長所及び利点は後述する発明の詳細な説明に一部が記述されており、一部は前記説明により明確になるか、又は、本発明の適用により理解されるであろう。本発明の目的と長所は、特に、請求の範囲に開示されたように実現及び達成される。
【発明を実施するための最良の形態】
【００１５】
以下、添付図面を参照して本発明を詳細に説明する。
【００１６】
図１は、本発明によるＰＴシステムの構成を示し、ＰＴクライアント「Ａ」のホームネットワークは、ＰＴクライアント「Ｂ」のホームネットワークとは異なるネットワークであるが、同一の構造を有する。
【００１７】
図１に示すように、ＰＴクライアントのホームネットワークは、ＰＴサービスのためのユーザインタフェースを提供するＰＴクライアント１０、６０、ＰＴ信号及びメディアデータを処理するＰＴサーバ２０、５０、並びに前記ＰＴクライアント１０、６０に関するプレゼンス情報をそれぞれ提供するプレゼンスサーバ３０、４０を含む。
【００１８】
ＰＴクライアント１０、６０は、ＰＴサーバ２０、５０にユーザ選好情報及び予約機能を設定できる。ＰＴサーバ２０、５０は、プレゼンスサーバ３０、４０により提供される選好情報及びプレゼンス情報を確認し、招待メッセージを送受信する。
【００１９】
前記クライアント「Ａ」及び前記クライアント「Ｂ」のホームネットワークは、前記プレゼンスサーバをサポートする。前記プレゼンスサーバをサポートしていない場合、前記ＰＴサーバ２０、５０がプレゼンスサーバ３０、４０の機能を果たす。
【００２０】
図２〜図５は、本発明によるＰＴシステムの信号フローチャートである。
【００２１】
図示されたように、前記ＰＴサーバ又は前記ＰＴクライアントが送受信した信号は、ＳＩＰ／ＩＰコアによりルーティングされて他のＰＴサーバ又はＰＴクライアントに伝送される。説明の便宜のために、前記ＳＩＰ／ＩＰコアを省略する。
【００２２】
図２は、本発明の第１実施形態によるＰＴシステムの信号フローチャートであり、招待予約機能がＰＴサーバ「Ａ」に設定され、招待条件を満たす場合、前記ＰＴサーバ「Ａ」がＩＮＶＩＴＥ信号を伝送する場合を示す。
【００２３】
招待予約機能を設定するために、ＰＴクライアント「Ａ」は、ＰＴサーバ「Ａ」にＰＵＢＬＩＳＨ信号を伝送する（Ｓ１０１）。この場合、前記ＰＵＢＬＩＳＨ信号は、被招待者の識別情報、予約機能動作時間、予約機能終了時間などの予約情報を含む。前記被招待者の識別情報は、招待対象クライアントのＴＥＬ  ＵＲＩもしくはＳＩＰ  ＵＲＩ、又は招待対象グループのＩＤである。
【００２４】
ＰＴサーバ「Ａ」は、前記ＰＵＢＬＩＳＨ信号により受信された予約情報によって予約機能を設定し、前記ＰＵＢＬＩＳＨ信号に対する応答信号（２００  ＯＫ）をＰＴクライアント「Ａ」に伝送する（Ｓ１０２）。ここで、招待対象としてＰＴクライアント「Ａ」と「Ｂ」を有する予約機能をＰＴサーバ「Ａ」に設定すると仮定する。
【００２５】
予約機能動作条件を満たす場合、前記予約機能が設定されたＰＴサーバ「Ａ」は、ＰＴサーバ「Ｂ」にＳＵＢＳＣＲＩＢＥ信号を伝送して招待対象であるＰＴクライアント「Ｂ」の状態情報（すなわち、プレゼンス情報及び選好情報）を要求する（Ｓ１０３）。前記ＰＴサーバ「Ｂ」は、ＳＵＢＳＣＲＩＢＥ信号をプレゼンスサーバ「Ｂ」に伝送する（Ｓ１０４）。
【００２６】
プレゼンスサーバ「Ｂ」は、ＰＴクライアント「Ｂ」のオンライン／オフライン状態情報を含むＮＯＴＩＦＹ信号をＰＴサーバ「Ｂ」に伝送する（Ｓ１０５）。ＰＴクライアントの電源が切れているか、ＰＴクライアント「Ｂ」がＰＴサービスプログラムからログアウトした状態である場合、ＰＴクライアント「Ｂ」がオフライン状態であることを通知する情報をＮＯＴＩＦＹ信号に追加する。ＰＴクライアント「Ｂ」がＰＴサービスプログラムにログインすると、ＰＴクライアント「Ｂ」がログイン状態であることを通知する情報をＮＯＴＩＦＹ信号に追加する。
【００２７】
ＰＴクライアントがオンライン状態であることを示す情報が前記ＮＯＴＩＦＹ信号に含まれている場合、ＰＴサーバ「Ｂ」は、ＰＴクライアント「Ｂ」の選好情報を確認する（Ｓ１０６）。前記選好情報が前記ＰＴクライアント「Ｂ」又は外部連動装置により予めＰＴサーバ「Ｂ」に保存されていると仮定する。
【００２８】
例えば、ＰＴサーバ「Ｂ」に保存されたＰＴクライアント「Ｂ」の選好情報は、次のような項目を含む。
【００２９】
１）アクセスリスト（Ａｃｃｅｓｓ  ｌｉｓｔ）
アクセスリストは、セッション設定が可能なクライアント又はクライアントグループに関する情報を含む。ユーザは、前記アクセスリストに全てのクライアント（例えば、アクセスリスト＝全て）、特定クライアント（例えば、アクセスリスト＝クライアント「Ａ」及び「Ｃ」）、又は、前記特定クライアントを除いたクライアント（例えば、アクセスリスト＝クライアント「Ａ」及び「Ｃ」を除いた全て）を登録できる。
【００３０】
２）着信セッション制限（ｉｎｃｏｍｉｎｇ  ｓｅｓｓｉｏｎ  ｂａｒｒｉｎｇ）
ＰＴクライアントは、ＰＴサーバに着信セッション制限機能を設定して招待を拒否できる。この場合、ＰＴクライアントは、着信セッション制限機能を動作させることのできる条件を設定し、前記条件を満たすＰＴクライアントに対する招待のみを制限できる。例えば、他の国のネットワークに属するＰＴクライアントに対する招待のみに着信セッション制限機能を動作させることができる。
【００３１】
３）セッションオン保持（ｓｅｓｓｉｏｎ  ｏｎ  ｈｏｌｄｉｎｇ）
セッションオン保持機能は、他のＰＴクライアントとセッションを設定した状態で新しい招待メッセージを受信した場合、従来のＰＴセッションを終了し、新しいＰＴセッションを設定するか、又は、従来のセッションを維持するかに関する判断を可能にする。
【００３２】
４）トリガーパラメータ（ｔｒｉｇｇｅｒｉｎｇ  ｐａｒａｍｅｔｅｒ）
トリガーパラメータは、全ての招待対象（例えば、ＰＴクライアント）がセッションに対して有効な場合にのみセッション設定を試みるか、又は、少なくとも１つの招待対象（例えば、ＰＴクライアント）がセッションに対して有効な場合にセッション設定を試みるかに関する判断基準を提供する。
【００３３】
５）連動ネットワーク情報（ｉｎｔｅｒｗｏｒｋｉｎｇ  ｎｅｔｗｏｒｋ  ｉｎｆｏｒｍａｔｉｏｎ）
招待されるクライアントが招待するクライアントの属するネットワークと連動できないネットワークに属する場合、ＰＴサービスを提供できない。従って、前記連動ネットワーク情報によりＰＴサービスが利用できるか否かを確認する。
【００３４】
前記選好情報項目を確認した後、ＰＴサーバ「Ｂ」は、前記確認結果を含むＮＯＴＩＦＹ信号をＰＴサーバ「Ａ」に伝送できる（Ｓ１０７）。この場合、ＰＴサーバ「Ｂ」は、前記ＮＯＴＩＦＹ信号によりセッション設定可能（又は、不可能）状態のみを通知するか、各選好項目に応じてＰＴクライアント「Ｂ」に関するより詳細な状態情報を通知することができる。
【００３５】
例えば、前記ＮＯＴＩＦＹ信号は、ＰＴクライアント「Ａ」がアクセスリストに含まれており、着信セッション制限機能が設定されており、ＰＴクライアント「Ｂ」が他のＰＴクライアントとセッションを設定し、セッションオン保持機能が設定されているということを示す情報を含むことができる。さらに、前記ＮＯＴＩＦＹ信号は、単純にＰＴクライアント「Ｂ」が招待に応じることのできる状態にあるということを示す情報のみを含むこともできる。
【００３６】
前記ＮＯＴＩＦＹ信号によりＰＴクライアント「Ｂ」がＰＴクライアント「Ａ」とセッションを設定できる状態にあることをＰＴサーバ「Ａ」が認識すると、ＰＴサーバ「Ａ」は、プレゼンスサーバ「Ａ」にＳＵＢＳＣＲＩＢＥ信号を伝送してＰＴクライアント「Ａ」の状態情報を確認する（Ｓ１０８）。
【００３７】
前記ＳＵＢＳＣＲＩＢＥ信号を受信すると、プレゼンスサーバ「Ａ」は、前記ＰＴクライアント「Ａ」のオンライン／オフライン状態情報（プレゼンス情報）を含むＮＯＴＩＦＹ信号をＰＴサーバ「Ａ」に伝送する（Ｓ１０９）。この場合、クライアント「Ａ」がＰＴサービスプログラムにログインすると、オンライン状態を示す情報が前記ＮＯＴＩＦＹ信号に含まれ、それに対して、クライアント「Ａ」の電源が切れているか、ＰＴサービスプログラムからログアウトした場合、オフライン状態を示す情報が前記ＮＯＴＩＦＹ信号に含まれる。
【００３８】
前記ＮＯＴＩＦＹ信号によりＰＴクライアント「Ａ」がオンライン状態にあることをＰＴサーバ「Ａ」が認識すると、ＰＴサーバ「Ａ」は、ＰＴクライアント「Ａ」の選好情報を確認する（Ｓ１１０）。前記選好情報は、ＰＴサーバ「Ａ」に保存されるか（Ｓ１０１）、ＰＴクライアント「Ａ」や他の外部連動装置によりＰＴサーバ「Ａ」に予め保存されている。前記選好情報は、アクセスリスト、発信セッション制限、セッションオン保持、トリガーパラメータ、及び連動ネットワーク情報を含む。
【００３９】
ここで、前記発信セッション制限機能が設定されている場合、ＰＴクライアントが他のＰＴクライアントを招待することが制限される。この場合、着信セッション制限機能を動作させる条件も設定されていると、前記条件を満たすＰＴクライアントを招待することが制限される。
【００４０】
段階Ｓ１１０の確認結果に基づいて、ＰＴクライアント「Ａ」がＰＴクライアント「Ｂ」を招待できる状態にある場合、ＰＴサーバ「Ａ」は、ＰＴクライアント「Ａ」と「Ｂ」間にセッションを設定するために前記ＰＴクライアント「Ａ」と「Ｂ」にＩＮＶＩＴＥ信号を伝送する。
【００４１】
その後、ＰＴサーバ「Ａ」が各ＩＮＶＩＴＥ信号に対する応答信号（２００  ＯＫ）を受信すると、ＰＴクライアント「Ａ」と「Ｂ」間にセッションが設定される（Ｓ１１４〜Ｓ１１６）。
【００４２】
ここで、招待対象は、ＰＴクライアント「Ｂ」に限定されるが、招待機能は、複数のＰＴクライアントを招待するように設定することができる。この場合、ＰＴサーバ「Ａ」は、各ＰＴクライアントに対して段階Ｓ１０３〜Ｓ１１６と同一方式でセッションを設定できる。
【００４３】
前述された第１実施形態においては、ＰＴクライアント「Ａ」と「Ｂ」間にセッションを設定できる条件下でのＰＴサービス提供過程を示している。
【００４４】
第２実施形態においては、ＰＴクライアント「Ｂ」がＰＴクライアント「Ａ」からの招待に応じることができない場合のＰＴサービス提供過程を示す。
【００４５】
図３は、本発明の第２実施形態によるＰＴシステムの信号フローチャートである。段階Ｓ２０１〜段階Ｓ２０５の過程は、本発明の第１実施形態における段階Ｓ１０１〜段階Ｓ１０５の過程と同一である。
【００４６】
段階Ｓ２０６で、ＰＴサーバ「Ｂ」は、ＰＴクライアント「Ｂ」の選好情報を確認する（Ｓ２０６）。この場合、選好情報がＰＴクライアント「Ｂ」又は外部連動装置によりＰＴサーバ「Ｂ」に予め設定されていると仮定する。例えば、ＰＴサーバ「Ｂ」に保存されたＰＴクライアント「Ｂ」の選好情報の項目は、第１実施形態における項目と同一である。以下の各項目に対する状態情報が確認されると、ＰＴクライアント「Ａ」は、ＰＴクライアント「Ｂ」とセッションを設定できない。
【００４７】
１）アクセスリスト：クライアント「Ａ」がアクセス制限対象に含まれる場合、又は、クライアント「Ａ」がアクセス許可対象に含まれていない場合。
【００４８】
２）着信セッション制限：全てのＰＴクライアントに対する招待を拒否するように設定されている場合、ＰＴクライアント「Ａ」の属するネットワークに対する招待を拒否するように設定されている場合、又は、ＰＴクライアント「Ａ」に対する招待を拒否するように設定されている場合。
【００４９】
３）セッションオン保持：ＰＴクライアント「Ｂ」が他のＰＴクライアントとセッションを設定し、新しい招待メッセージを受信しても従来のＰＴセッションを維持するように設定されている。
【００５０】
４）トリガーパラメータ：全ての招待対象がサービスを使用でき、複数の招待対象のうちいくつかのＰＴクライアントがサービスを使用できないときにのみ前記サービスを使用するように設定されている場合。
【００５１】
５）連動ネットワーク情報：ＰＴクライアント「Ａ」のネットワークがＰＴクライアント「Ｂ」と連動しないネットワークに該当する場合。
【００５２】
前述したような場合、ＰＴサーバ「Ｂ」は、セッション設定が不可能であるという情報をＮＯＴＩＦＹ信号によりＰＴサーバ「Ａ」及びＰＴクライアント「Ａ」に提供する（Ｓ２０７及びＳ２０８）。この場合、前記ＮＯＴＩＦＹ信号は、セッション設定が不可能であるという情報のみを含むか、各選好情報項目に応じてＰＴクライアント「Ｂ」の詳細状態情報をさらに含むことができる。
【００５３】
しかし、ＰＴサーバ「Ｂ」及びプレゼンスサーバ「Ｂ」が前記ＳＵＢＳＣＲＩＢＥ−ＮＯＴＩＦＹ段階（Ｓ２０３及びＳ２０４）によりＰＴクライアント「Ｂ」がオフライン状態であるということを認知すると、段階Ｓ２０６は省略され、前記ＰＴサーバ「Ｂ」は、前記ＮＯＴＩＦＹ信号によりＰＴサーバ「Ａ」及びＰＴクライアント「Ａ」にセッション設定が不可能であるという情報のみを提供する。
【００５４】
また、複数のＰＴクライアントが招待対象であり、これらのうちいくつかのＰＴクライアント間にのみセッションが設定された場合、ＰＴクライアント「Ｂ」が前記セッションの解除前にＰＴサービスを使用できる状態になると、ＰＴクライアント「Ｂ」は、前記予め設定されたセッションに参加できる。
【００５５】
図４は、本発明の第３実施形態によるＰＴシステムの信号フローチャートであり、招待予約機能がＰＴサーバ「Ｂ」に設定されており、予約条件が設定されている場合、ＰＴサーバ「Ｂ」がＩＮＶＩＴＥ信号を伝送する場合を示す。
【００５６】
ＰＴサーバ「Ｂ」に招待予約機能を設定するために、ＰＴクライアント「Ａ」は、ＰＵＢＬＩＳＨ信号を伝送する。前記ＰＵＢＬＩＳＨ信号は、ＰＴサーバ「Ａ」を介してＰＴサーバ「Ｂ」に伝送される。ＰＴサーバ「Ａ」及び「Ｂ」は、前記ＰＵＢＬＩＳＨ信号に対する応答信号（２００  ＯＫ）信号をそれぞれ伝送する（Ｓ３０１〜Ｓ３０４）。
【００５７】
前記ＰＵＢＬＩＳＨ信号は、招待対象に関する識別情報、予約機能開始時間、予約機能終了時間などの予約情報を含む。前記招待対象に関する識別情報は、招待対象クライアントのＴＥＬ  ＵＲＩもしくはＳＵＰ  ＵＲＩ情報、又は招待対象グループのＩＤである。ここで、招待対象としてＰＴクライアント「Ａ」と「Ｂ」を有する予約機能がＰＴサーバ「Ｂ」に設定されていると仮定する。
【００５８】
ＰＴサーバ「Ｂ」に設定された予約機能動作条件を満たす場合、ＰＴサーバ「Ｂ」は、プレゼンスサーバ「Ｂ」にＳＵＢＳＣＲＩＢＥ信号を伝送して招待対象のＰＴクライアント「Ｂ」の状態情報を要求する（Ｓ３０５）。
【００５９】
前記ＳＵＢＳＣＲＩＢＥ信号を受信した後、プレゼンスサーバ「Ｂ」は、ＰＴクライアント「Ｂ」のオンライン／オフライン状態情報を含むＮＯＴＩＦＹ信号をＰＴサーバ「Ｂ」に伝送する（Ｓ３０６）。ＰＴクライアント「Ｂ」の電源が切れるか、ＰＴクライアント「Ｂ」がＰＴサービスシステムからログアウトした場合、ＰＴクライアント「Ｂ」がオフライン状態であることを示す情報をＮＯＴＩＦＹ信号に含める。それに対して、ＰＴクライアント「Ｂ」がＰＴサービスプログラムにログインした場合、ＰＴクライアント「Ｂ」がログイン状態であることを示す情報をＮＯＴＩＦＹ信号に含める。
【００６０】
ＰＴクライアント「Ｂ」がオンライン状態にあることを示す情報がＮＯＴＩＦＹ信号に含まれると、ＰＴサーバ「Ｂ」は、ＰＴクライアント「Ｂ」の選好情報を確認する段階を行う（Ｓ３０７）。
【００６１】
前記ＰＴサーバ「Ｂ」により確認されたＰＴクライアント「Ｂ」の選好情報は、本発明の第１実施形態においてＰＴサーバ「Ｂ」に保存された選好情報と同一のものである。前記選好情報は、ＰＴクライアント「Ｂ」又は連動する外部装置（例えば、ＰＣ）により設定される。
【００６２】
確認の結果、ＰＴクライアント「Ｂ」がＰＴクライアント「Ａ」からの招待を受諾できる状態にある場合、ＰＴサーバ「Ｂ」は、ＰＴサーバ「Ａ」にＳＵＢＳＣＲＩＢＥ信号を伝送してＰＴクライアント「Ａ」の状態情報を確認する（Ｓ３０８）。
【００６３】
ＰＴサーバ「Ａ」は、前記プレゼンスサーバ「Ａ」とのＳＵＢＳＣＲＩＢＥ−ＮＯＴＩＦＹ段階によりＰＴクライアント「Ａ」のオンライン／オフライン状態情報を受信する（Ｓ３０９及びＳ３１０）。
【００６４】
ＰＴサーバ「Ａ」が前記ＮＯＴＩＦＹ信号によりＰＴクライアントがオンライン状態にあることを認知すると、前記ＰＴクライアント「Ａ」の選好情報を確認する段階（Ｓ３１１）が行われる。ＰＴサーバ「Ａ」が確認したＰＴクライアント「Ａ」の選好情報は、前記第１実施形態においてＰＴサーバ「Ａ」に保存された選好情報と同一のものである。第１実施形態において、前記選好情報をＰＴクライアント「Ａ」が伝送したＰＵＢＬＩＳＨ信号内に含むことができる。さらに他の実施形態においては、前記選好情報を他の連動する外部装置（例えば、ＰＣ）が設定できる。
【００６５】
その後、ＰＴサーバ「Ａ」は、ＰＴクライアント「Ａ」の選好情報に対する確認結果を通知するためにＰＴサーバ「Ｂ」にＮＯＴＩＦＹ信号を伝送する（Ｓ３１２）。この場合、ＰＴサーバ「Ａ」は、前記ＮＯＴＩＦＹ信号によりセッション設定可能（又は、不可能）状態のみを通知するか、各選好項目に応じてＰＴクライアント「Ａ」に関するより詳細な状態情報を通知することができる。
【００６６】
従って、ＰＴサーバ「Ｂ」は、ＰＴクライアント「Ａ」及び「Ｂ」の状態情報を確認できる。２つのクライアント間にセッションを設定できる場合、ＰＴサーバ「Ｂ」は、ＰＴクライアント「Ａ」及び「Ｂ」にＩＮＶＩＴＥ信号を伝送する（Ｓ３１３〜Ｓ３１５）。
【００６７】
前記ＩＮＶＩＴＥ信号を受信すると、ＰＴクライアント「Ａ」及び「Ｂ」は、２つのクライアント間にセッションが設定されることにより、該当応答信号（２００  ＯＫ）をそれぞれＰＴサーバ「Ａ」に伝送する（Ｓ３１６〜Ｓ３１８）。
【００６８】
図５は、本発明の第４実施形態によるＰＴシステムの信号フローチャートであり、ＰＴクライアントの状態情報を確認した後、招待するＰＴクライアント「Ａ」の決定によってセッションを設定する方法を示す。
【００６９】
まず、ＰＴクライアント「Ａ」は、ＰＴサーバ「Ａ」にＰＵＢＬＩＳＨ信号を伝送して予約機能及びセッション設定のための条件情報（選好情報）を設定する（Ｓ４０１）。前記ＰＵＢＬＩＳＨ信号により伝送された選好情報は、本発明の第１実施形態においてＰＴサーバ「Ａ」に設定された選好情報と同一のものである。
【００７０】
ＰＴサーバ「Ａ」は、予約機能設定のための予約情報と前記ＰＵＢＬＩＳＨ信号により伝送されたＰＴクライアント「Ａ」の選好情報を保存し、前記ＰＵＢＬＩＳＨ信号に対する応答信号（２００  ＯＫ）をＰＴクライアント「Ａ」に伝送する（Ｓ４０２）。
【００７１】
その後、一連の過程を行ってＰＴクライアント「Ａ」及び「Ｂ」の状態情報を確認する（Ｓ４０３〜Ｓ４１２）。
【００７２】
まず、ＰＴクライアント「Ａ」がＰＴサーバ「Ａ」にＳＵＢＳＣＲＩＢＥ信号を伝送して招待対象のＰＴクライアント「Ｂ」の状態情報を要求すると（Ｓ４０３）、ＰＴサーバ「Ａ」は、ＰＴサーバ「Ｂ」に前記ＳＵＢＳＣＲＩＢＥ信号を伝送する（Ｓ４０４）。
【００７３】
段階Ｓ４０３は選択的に実行でき、ＰＴサーバ「Ａ」が段階Ｓ４０３で前記ＳＵＢＳＣＲＩＢＥ信号を受信しなくても、予約機能動作条件を満たす場合は、段階Ｓ４０４を行うことができる。この場合、段階Ｓ４０４でＳＵＢＳＣＲＩＢＥ信号により得られたＰＴクライアントの状態情報がＰＴクライアント「Ａ」に提供されるようにＰＴサーバ「Ａ」に設定される。
【００７４】
前記ＳＵＢＳＣＲＩＢＥ信号を受信すると、ＰＴサーバ「Ｂ」にプレゼンスサーバ「Ｂ」とのＳＵＢＳＣＲＩＢＥ−ＮＯＴＩＦＹ過程によりＰＴクライアント「Ｂ」のオンライン／オフライン状態情報が提供される（Ｓ４０５及びＳ４０６）。
【００７５】
ＰＴサーバ「Ｂ」が前記ＮＯＴＩＦＹ信号によりＰＴクライアント「Ｂ」がオンライン状態にあるということを認知すると、ＰＴクライアント「Ｂ」の選好情報を確認する（Ｓ４０７）。前記選好情報は、本発明の第１実施形態においてＰＴサーバ「Ｂ」に設定された選好情報と同一のものである。すなわち、前記選好情報は、前記クライアント「Ｂ」がアクセスリスト上に存在するか否か、あるいは着信セッション制限機能やセッションオン保持機能が設定されているか否かを確認するための項目を含む。この場合、前記選好情報は、ＰＴクライアント「Ｂ」や外部連動装置によりＰＴサーバ「Ｂ」に設定される。
【００７６】
ＰＴサーバ「Ｂ」により得られた確認結果は、ＮＯＴＩＦＹ信号によりＰＴサーバ「Ａ」に伝送される（Ｓ４０８）。前記ＮＯＴＩＦＹ信号にＰＴクライアント「Ｂ」が招待に応じることができるという情報が含まれている場合、ＰＴサーバ「Ａ」は、プレゼンスサーバ「Ａ」とのＳＵＢＳＣＲＩＢＥ−ＮＯＴＩＦＹ過程によりＰＴクライアントのオンライン／オフライン状態情報を確認する（Ｓ４０９及びＳ４１０）。
【００７７】
ＰＴサーバは、ＰＴクライアント「Ａ」がオンライン状態にあることを前記ＮＯＴＩＦＹ信号により認知すると、前記ＰＴクライアントの選好情報を確認する（Ｓ４１１）。前記選好情報は、本発明の第１実施形態においてＰＴサーバ「Ａ」に設定された選好情報と同一のものである。
【００７８】
その後、ＰＴサーバは、ＮＯＴＩＦＹ信号によりＰＴクライアント「Ａ」に前記確認結果を伝送する（Ｓ４１２）。この場合、ＰＴサーバ「Ａ」は、前記ＮＯＴＩＦＹ信号によりセッション設定可能状態／セッション設定不可状態のみを通知するか、各選好項目に応じてＰＴクライアントに関するより詳細な状態情報を通知することができる。
【００７９】
また、前記ＮＯＴＩＦＹ信号を受信すると、ＰＴクライアント「Ａ」は、セッションが設定できるか否かをユーザが視覚的方式又は聴覚的方式で認識できるようにする。例えば、ＰＴクライアント「Ａ」は、ＰＴクライアント「Ａ」自身がＰＴクライアント「Ｂ」とセッションを設定できる状態にあるということをスクリーン上に表示するか、このような情報をオーディオスピーカから出力することができる。
【００８０】
前記ＮＯＴＩＦＹ信号がセッションが設定できることを示す情報を含んでいる場合、ＰＴクライアント「Ａ」は、ＰＴクライアント「Ｂ」にＩＮＶＩＴＥ信号を伝送し（Ｓ４１３〜Ｓ４１５）、該当応答信号（２００  ＯＫ）を受信してＰＴクライアント「Ｂ」とセッションを設定できる（Ｓ４１６〜Ｓ４１８）。
【００８１】
ＰＴクライアント「Ａ」が前記ＮＯＴＩＦＹ信号を受信する段階（Ｓ４１２）の後、ユーザ認識段階（図示せず）をさらに行うことにより、ユーザがセッション設定を所望する場合にのみ段階Ｓ４１３〜段階Ｓ４１８を行うことができる。
【００８２】
すなわち、ＰＴクライアント「Ａ」は、前記ＮＯＴＩＦＹ信号によりセッションが設定できるか否かを確認すると、自動的に段階Ｓ４１３〜Ｓ４１８を行うことによりセッションを設定するか、ユーザから肯定的な応答を取得した場合にのみセッションを設定することができる。
【００８３】
例えば、図２〜図５は、プレゼンスサーバによりサポートされるＰＴシステムを示し、プレゼンスサーバによりサポートされないＰＴシステムにおいては、ＰＴサーバが前述されたプレゼンスサーバの機能を実行する。実現方法によって、ＰＴサーバがプレゼンスサーバにより提供されるプレゼンス情報の一部を確認するか、プレゼンスサーバがＰＴサーバにより確認された選好情報の一部を提供できる。
【００８４】
また、ＰＴサーバにＰＴクライアントの選好情報を設定する段階と前記選好情報を確認する段階は、選択的であるため、省略できる。
【００８５】
本発明は、無線通信でＰＴサービスをサポートするサーバのための装置を提供し、前記装置は、複数の移動局と複数のサーバ間に信号を送受信する送受信器と、ＰＴサービスに関する指示を保存するメモリと、前記送受信器及び前記メモリと連動するプロセッサとを含み、前記プロセッサは、第１ネットワークの第１移動局から第２ネットワークの第２移動局をセッションにいつ招待するかに関する条件を含むＰＵＢＬＩＳＨ信号を受信する段階と、前記第２移動局がセッションに招待されるまで前記条件をモニターする段階と、前記モニターに対する応答として前記第１ネットワークのプレゼンスサーバと前記第２ネットワークのプレゼンスサーバにＳＵＢＳＣＲＩＢＥ信号を伝送する段階と、前記伝送に対する応答として前記第２移動局又は第１移動局の選好情報を確認した他のサーバからＮＯＴＩＦＹ信号を受信して前記第１移動局又は第２移動局の選好情報を確認する段階と、前記確認に対する応答として互いにＰＴサービスできるように前記第２移動局を前記第１移動局と設定されているセッションに招待する段階とを行う。
【００８６】
ここで、前記ＮＯＴＩＦＹ信号が前記第２移動局がオフライン状態にあることを示す場合、ＰＴサービスを可能にする次の段階は実行されない。前記第１移動局及び第２移動局の少なくとも１つの選好情報がセッション設定を禁止すると、前記招待段階は実行されない。前記サーバは、第１サーバの一部でもよく、前記他のサーバは、第２サーバの一部でもよい。前記サーバは、第２ネットワークの一部でもよく、前記他のサーバは、第１ネットワークの一部でもよい。
【００８７】
また、本発明は、無線通信でＰＴサービスをサポートする移動局を提供し、前記移動局は、サーバと信号を送受信する送受信器と、ＰＴサービスに関する指示を保存するメモリと、前記送受信器と連動するプロセッサとから構成され、前記プロセッサは、他のネットワークの他の移動局がセッションに招待される時点に関する条件を含む招待を設定するための指示を含むＰＵＢＬＩＳＨ信号を前記サーバに伝送する段階と、前記条件を満たすとき、前記サーバを介して設定されたセッションにより招待された前記他の移動局とＰＴサービスを行う段階とを行う。
【００８８】
また、本発明は、無線通信でＰＴサービスをサポートする移動局を提供し、前記移動局は、サーバと信号を送受信する送受信器と、ＰＴサービスに関する指示を保存するメモリと、前記送受信器と連動するプロセッサとから構成され、前記プロセッサは、他のネットワークの他の移動局がセッションに招待されることに関する条件を含む招待を設定するための指示を含むＰＵＢＬＩＳＨ信号を前記サーバに伝送した後、前記他の移動局から前記セッションへの招待を受信する段階と、前記条件を満たすとき、前記サーバを介して設定されたセッションにより招待された前記他の移動局とＰＴサービスを行う段階とを行う。
【００８９】
本発明は、前述した実施形態と利点は本発明を制限するものでなく、単なる例示にすぎない。本発明は、他の形態の装置にも容易に適用できる。本発明の説明は特許請求の範囲を制限するものでなく、単なる説明の便宜のためのものである。当該技術分野における通常の知識を有する者であれば多様な変更、変形、及び均等な他の実施例が可能であることを理解できるであろう。請求項において、ミーンズプラスファンクションクレームは列挙された機能を実行するものであり、ここに記載された構造、構造的同等物だけでなく均等な構造をも含む。
【図面の簡単な説明】
【００９０】
本発明は、以下の図面を参照して詳細に説明され、同一の参照番号は同一の構成要素を示す。
【図１】本発明によるＰＴシステムの構成を示している。
【図２】本発明の第１実施形態によるＰＴシステムの信号フローチャートである。
【図３】本発明の第２実施形態によるＰＴシステムの信号フローチャートである。
【図４】本発明の第３実施形態によるＰＴシステムの信号フローチャートである。
【図５】本発明の第４実施形態によるＰＴシステムの信号フローチャートである。
【図１】
2008516519.tif 000003
【図２】
2008516519.tif 000004
【図３】
2008516519.tif 000005
【図４】
2008516519.tif 000006
【図５】
2008516519.tif 000007
【国際調査報告】
2008516519.tif 000008
2008516519.tif 000009